(57)【要約】【課題】端末装置間で送受信される下位の層のプロトコルのパケットを減少させて、データの伝送効率を向上させる。【解決手段】二つの端末装置１，２を備え、この二つの端末装置１，２のうち、一方の端末装置１が、階層化された複数のプロトコルに基づくパケット３を、他方の端末装置２に送信するパケット送信手段を備え、他方の端末装置２が、パケット３を受信したときに、パケット３の上位の層のプロトコルの確認応答としても機能する下位の層のプロトコルの確認応答パケット４を、一方の端末装置１に送信する確認応答パケット送信手段を備えた。【選択図】      図１
2008300936.tif 000002
【特許請求の範囲】
【請求項１】
二つの端末装置を備える無線通信システムであって、
前記二つの端末装置のうち、一方の端末装置が、階層化された複数のプロトコルに基づくパケットを、他方の端末装置に送信するパケット送信手段を備え、
他方の端末装置が、前記パケットを受信したときに、該パケットの上位の層のプロトコルの確認応答としても機能する下位の層のプロトコルの確認応答パケットを、前記一方の端末装置に送信する確認応答パケット送信手段を備えることを特徴とする無線通信システム。
【請求項２】
前記他方の端末装置が、前記パケットに含まれる前記上位の層のプロトコルのヘッダ部に対応する確認応答情報を算出する算出手段と、前記下位の層のプロトコルの確認応答に、前記算出手段で算出された確認応答情報を付加して前記確認応答パケットを生成する確認応答パケット生成手段と、を備えることを特徴とする請求項１記載の無線通信システム。
【請求項３】
前記一方の端末装置が、前記確認応答パケットに基づいて前記パケットの再送を行う再送手段を備えることを特徴とする請求項１又は２記載の通信システム。
【請求項４】
前記階層化された複数のプロトコルのうち、上位の層のプロトコルがＴＣＰ（Ｔｒａｎｓｍｉｓｓｉｏｎ  Ｃｏｎｔｒｏｌ  Ｐｒｏｔｃｏｌ）であって、
前記パケットが、少なくともＴＣＰヘッダ部を備えたＴＣＰセグメントを含む場合に、
前記算出手段が、前記ＴＣＰヘッダ部から前記ＴＣＰセグメントに対応する確認応答のシーケンス番号及び確認応答番号を、前記確認応答情報として算出することを特徴とする請求項２記載の無線通信システム。
【請求項５】
無線回線を介して接続されたノードから、階層化された複数のプロトコルに基づくパケットを受信したときに、該パケットの上位の層のプロトコルの確認応答としても機能する下位の層のプロトコルの確認応答パケットを、前記所定のノードに送信する確認応答パケット送信手段を備えることを特徴とする端末装置。
【請求項６】
前記パケットに含まれる前記上位の層のプロトコルのヘッダ部に対応する確認応答情報を算出する算出手段と、前記下位の層のプロトコルの確認応答に、前記算出手段で算出された確認応答情報を付加して前記確認応答パケットを生成する確認応答パケット生成手段と、を備えることを特徴とする請求項５記載の端末装置。
【請求項７】
二つの端末装置を備える無線通信システムの通信方法であって、
前記二つの端末装置のうち、一方の端末装置が、階層化された複数のプロトコルに基づくパケットを、他方の端末装置に送信し、
他方の端末装置が、前記パケットを受信したときに、該パケットの上位の層のプロトコルの確認応答としても機能する下位の層のプロトコルの確認応答パケットを、前記一方の端末装置に送信することを特徴とする無線通信システムの通信方法。
【請求項８】
前記他方の端末装置が、前記パケットに含まれる前記上位の層のプロトコルのヘッダ部に対応する確認応答情報を算出し、前記下位の層のプロトコルの確認応答に、前記算出手段で算出された確認応答情報を付加して前記確認応答パケットを生成することを特徴とする請求項７記載の無線通信システムの通信方法。
【請求項９】
無線のコンピュータネットワークを介して接続された端末装置と通信可能なコンピュータを、
前記端末装置から階層化された複数のプロトコルに基づくパケットを受信したときに、該パケットの上位の層のプロトコルの確認応答としても機能する下位の層のプロトコルの確認応答パケットを、前記一方の端末装置に送信する確認応答パケット送信手段として機能させるためのプログラム。
【請求項１０】
前記コンピュータを、前記パケットに含まれる前記上位の層のプロトコルのヘッダ部に対応する確認応答情報を算出する算出手段と、前記下位の層のプロトコルの確認応答に、前記算出手段で算出された確認応答情報を付加して前記確認応答パケットを生成する確認応答パケット生成手段として機能させるための請求項１０記載のプログラム。
【発明の詳細な説明】
【技術分野】
【０００１】
本発明は、コンピュータネットワークに接続される少なくとも二つの端末装置を備える通信システム、通信システムに用いられる端末装置、及び、通信システムの通信方法に関する。
【背景技術】
【０００２】
ＴＣＰ（Ｔｒａｎｓｍｉｓｓｉｏｎ  Ｃｏｎｔｒｏｌ  Ｐｒｏｔｃｏｌ）を用いた無線のコンピュータネットワークの通信においては、データリンク層（ＯＳＩ参照モデルの第二層）の一部であるＭＡＣ層に、ＩＥＥＥ８０２．１１の規格が用いられている。
【０００３】
図９には、二つの端末装置を備えたＩＥＥＥ８０２．１１に規定されたアドホックモードの無線の通信システムと、この通信システムのＭＡＣ（Ｍｅｄｉａ  Ａｃｃｅｓｓ  Ｃｏｎｔｒｏｌ）層における通信の流れを示している。
この通信システムにおいて、第一の端末装置１００から、第二の端末装置１０１に、ＴＣＰセグメントを含む一つのデータパケット１０２が送信されると（Ｃ４−１）、第二の端末装置１０１から第一の端末装置に確認応答パケット１０３が返送される（Ｃ４−２）。
次に、ＴＣＰプロトコルの確認応答を含むパケット１０４が、第二の端末装置１０１から第一の端末装置１００に送信される。
そして、第一の端末装置１００から第二の端末装置１０１に確認応答パケット１０５が返送される。
【０００４】
このような無線通信システムにおいて、ＭＡＣ層のパケットを減少させる技術に関連するものとしては、例えば、特許文献１に記載された技術があげられる。
【０００５】
図１０に示すように、この特許文献１記載の無線通信システムは、有線ネットワーク２０５に接続された無線基地局２００及びこの無線基地局２００と無線通信可能な端末装置２０６とを備える。
無線基地局２００は、データ送受信を行う有線Ｉ／Ｆ２０１、ＴＣＰプロトコルのデータを検出するＴＣＰ検出部２０２、ＴＣＰの確認応答を生成し、送信するＴＣＰ・確認応答生成部２０３、無線ネットワークのデータ送受信を行う無線Ｉ／Ｆ２０４を備えている。
無線端末装置２０６は、無線ＴＣＰデータを受信すると、ＴＣＰの確認応答を送信せずに、無線基地局２００へ無線の確認応答を送信する。
【０００６】
無線基地局２００は、ＴＣＰ検出部２０２が有線Ｉ／Ｆ２０１が有線ネットワーク２０５で受信したデータがＴＣＰデータであることを検出した場合には、ＴＣＰ・確認応答生成部２０３にてそのデータのＴＣＰの確認応答を生成する。
また、無線基地局２００は、受信したＴＣＰデータを、ＴＣＰ検出部２０２から無線Ｉ／Ｆ２０４を介して、無線端末装置２０６へ送信する。
無線端末装置２０６は、無線ＴＣＰデータを受信すると、無線基地局２００へ無線の確認応答を送信する。
無線の確認応答を無線Ｉ／Ｆ２０４が受信すると、ＴＣＰ・確認応答生成部２０３が、生成したＴＣＰデータに対するＴＣＰの確認応答を有線ネットワーク２０５側へ送信する。
【０００７】
【特許文献１】特開２００６−１１４９７３号公報
【発明の開示】
【発明が解決しようとする課題】
【０００８】
しかしながら、例えば、図に示すように、上述のような、ＴＣＰ層などの上位の層のプロトコルとＭＡＣ層などの下位の層のプロトコルの双方で、確認応答（ＡＣＫ）が必要な通信システムは、第一の端末装置１００から、第二の端末装置１０１にパケット１０２を送信すると、上位の層のプロトコルの確認応答を含む下位の層のパケット１０４に対しても、下位の層の確認応答１０５が必要になる。
【０００９】
そのため、アドホックモードのような端末装置１００，１０１同士の無線通信では、ＭＡＣ層において、ＴＣＰセグメントを含むデータパケット１０２、無線確認応答パケット１０３、ＴＣＰ層の確認応答を含むパケット１０４、無線確認応答パケット１０５の計四つのパケットが必要で、ＭＡＣ層のパケット数が多くなりやすくなるので、伝送するデータの衝突が発生する頻度が高くなりデータの伝送効率が低下してしまうという問題があった。
また、端末装置１００，１０１同士の通信において、ＭＡＣ層のパケットを減少させる技術が無かった。
【００１０】
本発明は、以上のような従来の技術が有する問題を解決するために提案されたものであり、端末装置間で送受信される下位の層のプロトコルのパケットを減少させて、データの伝送効率を向上させた通信システム、通信システムに用いられる端末装置、通信システムの通信方法及び通信システムに用いられるコンピュータのプログラムの提供を目的とする。
【課題を解決するための手段】
【００１１】
上記目的を達成するため、本発明の通信システムは、二つの端末装置を備える無線通信システムであって、前記二つの端末装置のうち、一方の端末装置が、階層化された複数のプロトコルに基づくパケットを、他方の端末装置に送信するパケット送信手段を備え、他方の端末装置が、前記パケットを受信したときに、該パケットの上位の層のプロトコルの確認応答としても機能する下位の層のプロトコルの確認応答パケットを、前記一方の端末装置に送信する確認応答パケット送信手段を備えている。
【００１２】
また、上記目的を達成するため、本発明の端末装置は、無線回線を介して接続されたノードから、階層化された複数のプロトコルに基づくパケットを受信したときに、該パケットの上位の層のプロトコルの確認応答としても機能する下位の層のプロトコルの確認応答パケットを、前記所定のノードに送信する確認応答パケット送信手段を備えている。
【００１３】
また、上記目的を達成するため、本発明の無線通信システムの通信方法は、二つの端末装置を備える無線通信システムの通信方法であって、前記二つの端末装置のうち、一方の端末装置が、階層化された複数のプロトコルに基づくパケットを、他方の端末装置に送信し、他方の端末装置が、前記パケットを受信したときに、該パケットの上位の層のプロトコルの確認応答としても機能する下位の層のプロトコルの確認応答パケットを、前記一方の端末装置に送信する構成としている。
【００１４】
また、上記目的を達成するため、本発明のプログラムは、無線のコンピュータネットワークを介して接続された端末装置と通信可能なコンピュータを、前記端末装置から階層化された複数のプロトコルに基づくパケットを受信したときに、該パケットの下位の層のプロトコル及び上位の層のプロトコルの双方の確認応答に対応する確認応答パケットを、前記パケットを送信した端末装置に送信する確認応答パケット送信手段として機能させる。
【発明の効果】
【００１５】
以上のように、本発明の通信システム、通信システムに用いられる端末装置、通信システムの通信方法及び通信システムに用いられるコンピュータのプログラムによれば、端末装置間で送受信される下位の層のプロトコルのパケットを減少させて、データの伝送効率を向上させることができる。
【発明を実施するための最良の形態】
【００１６】
以下、本発明に係る無線通信システム、無線通信システムに用いられる端末装置の好ましい実施例について、図１〜図５を参照しつつ説明する。なお、無線通信システムの通信方法は、無線通信システムの動作の部分で説明する。
【００１７】
図１には、本実施例の無線通信システムを示している。
本図に示すように、本実施例の無線通信システムは、二つの端末装置（第一及び第二の端末装置１，２）を備えている。
端末装置１，２は、図示しないＣＰＵなどの計算処理部及び計算処理部で実行されるプログラムが格納される記憶部などを備えたパーソナルコンピュータなどの汎用の計算機で構成されている。
【００１８】
図２には、第一及び第二の端末装置１，２の機能を示すブロック図を示している。
本図に示すように、第一及び第二の端末装置１，２には、無線通信部１１，２１が備えられており、階層化された複数のプロトコルに規定されたデータの無線通信がなされる。
無線通信部１１，２１は、図示しないアンテナを介して物理層のパケット３を送受信可能である。
【００１９】
階層化された複数のプロトコルにおいて、上位の層のプロトコルには、ＴＣＰ（Ｔｒａｎｓｍｉｓｓｉｏｎ  Ｃｏｎｔｒｏｌ  Ｐｒｏｔｃｏｌ）が用いられている。
下位の層のプロトコルには、データリンク層（ＯＳＩ参照モデルの第二層）の一部であるＭＡＣ層に、ＩＥＥＥ８０２．１１の規格が用いられている。
また、この第一及び第二の端末装置１，２間では、ＩＥＥＥ８０２．１１に規定されるアドホックモードでの通信がなされる。
【００２０】
第一の端末装置１は、第二の端末装置２に、階層化された複数のプロトコルに基づくパケット３を送信するパケット送信手段１３を備えている。
図３に示すように、パケット送信手段１３が送信するパケット３のフレーム構造は、本層（ＭＡＣ層）のヘッダ部３０と、データ部３１とからなる。
このデータ部３１には、ＴＣＰセグメント３１ａが含まれている。
【００２１】
図４に示すように、ＴＣＰセグメント３１ａは、少なくともＴＣＰヘッダ部３２を備えている。
具体的には、ＴＣＰセグメント３１ａは、ＴＣＰヘッダ部３２及びアプリケーションからのデータが格納されるデータ部３３からなる。
ＴＣＰセグメント３１ａのＴＣＰヘッダ部３２には、シーケンス番号３４及び確認応答番号３５が含まれている。
尚、図３中、符号３６は、本データパケット３の誤りチェックのための部分（ＦＣＳ）である。
また、図２に示すように、第一の端末装置１は、後述の確認応答パケット４に基づいてパケット３の再送を行う再送手段１４を備えている。
【００２２】
第二の端末装置２は、パケット３を受信したときに、データパケット３の上位の層のプロトコルの確認応答（ＡＣＫ：Ｐｏｓｉｔｉｖｅ  Ａｃｋｎｏｗｌｅｄｇｍｅｎｔ）としても機能する下位の層のプロトコルの確認応答パケット４（図５）を、第一の端末装置１に送信する確認応答パケット送信手段２５を備えている。
【００２３】
第二の端末装置２は、パケット３に含まれる上位の層のプロトコル（ＴＣＰ層）のヘッダ部３２に対応する確認応答情報を算出する算出手段２６と、下位の層のプロトコル（ＭＡＣ層）の確認応答に、算出手段２６で算出された確認応答情報を付加して確認応答パケット４を生成する確認応答パケット生成手段２７と、を備えている。
【００２４】
算出手段２６は、例えば、ＴＣＰに規定された所定の処理を行なう。
算出手段２６は、ＴＣＰセグメント３１ａのＴＣＰヘッダ部３２のシーケンス番号３４及び確認応答番号３５を用いて、確認応答情報であるシーケンス番号４１及び確認応答番号４２を算出している。
【００２５】
図５に示すように、確認応答パケット生成手段２７で生成される確認応答パケット４は、確認応答パケット４自身の種類を表す部分４３（Ｆｒａｍｅ  Ｃｏｎｔｒｏｌ）、確認応答パケット４の送信完了までの予約時間４４（Ｄｕｒａｔｉｏｎ）、確認応答パケット４の送信先アドレス４５（ＲＡ）、算出手段２６からのシーケンス番号４１（Ｓｅｑｕｅｎｃｅ  ｎｕｍｂｅｒ）、算出手段２６からの確認応答番号４２（Ａｃｋｎｏｗｌｅｄｇｍｅｎｔ  ｎｕｍｂｅｒ）、本確認応答パケット４の誤りチェックのための部分４６（ＦＣＳ）で構成されている。
なお、確認応答パケット生成手段２７は、確認応答パケット４自身の種類を表す部分（Ｆｒａｍｅ  Ｃｏｎｔｒｏｌ）に、確認応答を表す値を入力する。
【００２６】
以上の構成からなる本実施例の通信システムの動作を、図１〜図７を参照して説明する。
第一及び第二の端末装置１，２間において、まず、予め、無線通信部１１，２１が、無線回線上に通信経路の確立を行なう。このとき、第二の端末装置２は、データパケットの受信を待ち受ける状態となる（Ｃ３−１）。
【００２７】
そして、第一の端末装置１のパケット送信手段１３は、上位の層のプロトコル（アプリケーション層）でモジュール処理されたデータから、一又は二以上のＴＣＰセグメント３１ａ（本実施例では一つ）を生成する（図４）。
次に、パケット送信手段１３は、ＩＰ（Ｉｎｔｅｒｎｅｔ  Ｐｒｏｔｃｏｌ）などの下位の層のプロトコルのモジュールを介して、各ＴＣＰセグメント３１ａを含むデータパケット３を生成し、このデータパケット３を、無線通信部１１，２１に送る（図３）。
無線通信部１１，２１は、パケット送信手段１３からのデータパケット３を、さらに下位のプロトコル（物理層）に基づいて発信する（Ｃ１−１，Ｃ２−１）。
その後、第一の端末装置１は、確認応答パケット４を待ち受ける（Ｃ２−２）。
【００２８】
第二の端末装置２が、第一の端末装置１が発信したデータパケット３を、無線通信部１１，２１が受信すると（Ｃ３−２Ｙ）、階層化されたプロトコルにしたがって下位の層から順に処理される。
そして、ＴＣＰ層において、ＴＣＰセグメント３１ａが取り出され、アプリケーションに渡される。また、ＴＣＰセグメント３１ａは、算出手段２６にも送られる。
算出手段２６は、ＴＣＰセグメント３１ａのシーケンス番号３４及び確認応答番号３５を取り出し、これらに対応する確認応答のシーケンス番号４１及び確認応答番号４２を算出する（Ｃ３−３）。
【００２９】
次に、確認応答パケット生成手段２７が、ＭＡＣ層の確認応答パケット４を生成する。
このとき、図５に示すように、確認応答パケット生成手段２７は、算出手段２６で算出されたシーケンス番号４１及び確認応答番号４２を、ＭＡＣ層の確認応答に付加する（Ｃ３−４）。
確認応答パケット生成手段２７が生成した確認応答パケット４は、無線通信部１１，２１に送られて、発信される（Ｃ１−２，Ｃ３−５）。
【００３０】
第一の端末装置１が、第二の端末装置２が発信した確認応答パケット４を、無線通信部１１，２１が受信すると、確認応答パケット４のヘッダを参照して再送手段１４に渡す。
再送手段１４は、まず、この確認応答パケット４について、ＭＡＣ層のプロトコルで検証する。
【００３１】
すなわち、再送手段１４は、確認応答パケット４のヘッダや、ＦＣＳ４６に問題があるときや、確認応答パケット４が所定時間過ぎても受信できないときには、パケット３が届いていないものとし、パケット送信手段１３に、確認応答パケット４に対応したパケット３を再送信させる（Ｃ２−３Ｎ）。
ＭＡＣ層の確認応答である確認応答パケット４を正しく受信したときには（Ｃ２−３Ｙ）、再送手段１４は、確認応答パケット４を、ＴＣＰ層のプロトコルで検証する（Ｃ２−４）。
再送手段１４は、確認応答パケット４に付加されたシーケンス番号４１及び確認応答番号４２が、パケット３に対応しないものであるときは、パケット送信手段１３にデータパケット３を送信させる（Ｃ２−５Ｙ）。
【００３２】
第一の端末装置１は、確認応答パケット４のシーケンス番号４１及び確認応答番号４２が正しいときには、データパケット３の送信を終了し、通信経路を切断する（Ｃ２−６）。
【００３３】
以上説明したように、本実施例に係る無線通信システムによれば、第二の端末装置２の確認応答パケット送信手段２５が、第一の端末装置１から送られたパケット３に対し、このパケット３の上位の層のプロトコル（ＴＣＰ層）の確認応答としても機能する下位の層のプロトコル（ＭＡＣ層）の確認応答パケット４を、第一の端末装置１に送信するので、従来に比較して、ＭＡＣ層において、第二の端末装置２から第一の端末装置１へのＴＣＰ層の確認応答を含むパケット及びこのパケットに対する第一の端末装置１から第二の端末装置２への確認応答パケットを省くことができる。
これにより、ＭＡＣ層のパケットの数を低減できるので、伝送するデータの衝突が発生する頻度が低くなり、データの伝送効率を向上させることができる。
また、無線区間の通信量が減るので、各端末装置１，２のパフォーマンスの向上を期待できる。
また、無線通信を行なう他の端末装置があっても、無線区間の通信量が低減するので、これら他の端末装置の無線通信に影響を生じさせにくくすることができる。
【００３４】
また、第二の端末装置２において、算出手段２６が、パケット３に含まれるＴＣＰセグメント３１ａのＴＣＰヘッダ部３２から、ＴＣＰセグメント３１ａに対応する確認応答のシーケンス番号４１及び確認応答番号４２を算出し、確認応答パケット生成手段２７が、算出手段２６で算出されたシーケンス番号４１及び確認応答番号４２を付加して確認応答パケット４を生成する。
このようにすると、確認応答パケット送信手段２５で送信される確認応答パケット４に、シーケンス番号４１及び確認応答番号４２が含まれるので、第一の端末装置１側に、ＴＣＰ層での処理を行わせることができる。
【００３５】
また、第一の端末装置１の再送手段１４が、例えば、確認応答パケット４に含まれるシーケンス番号４１及び確認応答番号４２に基づいてパケット３の再送を行うので、第二の端末装置２が、確実にパケット３を受信することができる。
【００３６】
図８には、第二実施例に係る無線通信システムの第一及び第二の端末装置の機能ブロック図を示している。
この無線通信システムは、第一及び第二の端末装置１，２の双方が、パケット送信手段１３，２３、再送手段１４，２４、確認応答パケット送信手段１５，２５、算出手段１６，２６及び確認応答パケット生成手段１７，２７を備える点で、上記実施例のものと異なる。
このような構成からなる無線通信システムによれば、第一及び第二の端末装置１，２の双方向の通信において、ＭＡＣ層のパケット数をより一層低減できるので、伝送するデータの衝突が発生する頻度が低くなり、データの伝送効率を向上させることができる。
【００３７】
以上、本発明の装置について、好ましい実施形態を示して説明したが、本発明に係る無線通信システム、無線通信システムに用いられる端末装置、無線通信システムの通信方法及び無線通信システムに用いられるコンピュータのプログラムは、上述した実施形態にのみ限定されるものではなく、本発明の範囲で種々の変更実施が可能であることは言うまでもない。
例えば、パケット送信手段が送信するパケットは、ＴＣＰデータ部を含むデータパケットとしたが、ＳＹＮパケット、ＳＹＮ・ＡＣＫパケットであってよい。
また、上位の層のプロトコルとしてＴＣＰを用いたが、これに限定されるものでなく、確認応答を行う他のプロトコルであってよい。
【図面の簡単な説明】
【００３８】
【図１】本発明の第一実施例に係る無線通信システムを、二つの端末装置間で送受信されるＭＡＣ層のパケットとともに示す概略図である。
【図２】本発明の第一実施例に係る無線通信システムにおいて、各端末装置の機能を示すブロック図である。
【図３】本発明の第一実施例に係る無線通信システムにおいて、パケット送信手段が送信するパケットのフレーム構造を示す概略図である。
【図４】一般的なＴＣＰセグメントの構造を示す図である。
【図５】本発明の第一実施例に係る無線通信システムにおいて、確認応答パケット送信手段が送信する確認応答パケットのフレーム構造を示す概略図である。
【図６】本発明の第一実施例に係る無線通信システムにおいて、第一の端末装置の動作を示すフローチャート図である。
【図７】本発明の第一実施例に係る無線通信システムにおいて、第二の端末装置の動作を示すフローチャート図である。
【図８】本発明の第二実施例に係る無線通信システムにおいて、各端末装置の機能を示すブロック図である。
【図９】一般的な無線通信システムの一例を、二つの端末装置間で送受信されるＭＡＣ層のパケットとともに示す概略図である。
【図１０】無線通信システムに関連する技術の一例を示す図である。
【符号の説明】
【００３９】
１  第一の端末装置
１１，２１  無線通信部
１３，２３  パケット送信手段
１５，２５  確認応答パケット送信手段
１６，２６  算出手段
１７，２７  確認応答パケット生成手段
２  第二の端末装置
３  データパケット（パケット）
３０  ヘッダ部
３１  データ部
３１ａ  ＴＣＰセグメント
３２  ＴＣＰヘッダ部
３３  ＴＣＰデータ部
３４  シーケンス番号
３５  確認応答番号
４  確認応答パケット
４１  シーケンス番号
４２  確認応答番号
【図１】
2008300936.tif 000003
【図２】
2008300936.tif 000004
【図３】
2008300936.tif 000005
【図４】
2008300936.tif 000006
【図５】
2008300936.tif 000007
【図６】
2008300936.tif 000008
【図７】
2008300936.tif 000009
【図８】
2008300936.tif 000010
【図９】
2008300936.tif 000011
【図１０】
2008300936.tif 000012